【事件の表示】
　特許第２８７９０５３号「コンバイン」の特許に対する特許異議の申立てについて、次のとおり決定する。
【結　論】
　特許第２８７９０５３号の特許を維持する。
【理　由】
１．手続きの経緯
　本件特許第２８７９０５３号発明は、昭和６１年２月１９日に出願された実願昭６１−２３６３７号出願の一部を実願平６−８４６４号として新たな実用新案出願とし、この実用新案出願を特許出願に変更したものであり、その特許は平成１１年１月２９日に設定登録され、この特許に対し、異議申立人井関農機株式会社より特許異議の申立てがなさた。
　
２．本件発明
　本件特許の発明の要旨（以下、「本件発明」という。）は、特許明細書及び図面の記載からみて、その特許請求の範囲に記載されたとおりの、
  「脱穀部（４）一側の機台（３）上の穀粒タンク（１４）底部で前後方向に下部コンベア（１９）を延設させ、下部コンベア（１９）後端部に縦コンベア（２０）下端部を連結させ、縦コンベア（２０）上端部に上部コンベア（２１）基部を連結させると共に、運転席（１７）後側下方の穀粒タンク（１４）前面外側下部に入力軸（３３）を突設させ、穀粒タンク（１４）後側支点回りの水平方向の回動によって係脱自在なワンタッチ連結クラッチ（３６）により本機側のコンベア駆動軸（３５）に前記穀粒タンク（１４）前部の入力軸（３３）を連結させ、また穀粒タンク（１４）前部の水平回動遊端側を本機に連結させる係脱自在なロック部材（２７）を設けるコンバインにおいて、穀粒タンク（１４）前部の水平回動遊端側下面を摺接させる機台（３）上面に軸受部材（３４）を設け、エンジン（１３ａ）出力を伝達する前記コンベア駆動軸（３５）を軸受部材（３４）に取付け、前記ロック部材（２７）とコンベア駆動軸（３５）とワンタッチ連結クラッチ（３６）を、側面視で穀粒タンク（１４）前部の回動遊端の略同一位置に配設させ、前記ワンタッチ連結クラッチ（３６）取付位置よりも穀粒タンク（１４）の水平回動外側に前記ロック部材（２７）を取付け、下部コンベア（１９）前端部の穀粒タンク（１４）下面を機台（３）に摺動自在に上載させ、機台（３）の穀粒タンク（１４）摺動案内面と穀粒タンク（１４）の間を前記ロック部材（２７）によって連結させたことを特徴とするコンバイン。」
にあると認める。
　
３．特許異議申立理由の概要
　本件発明は、下記の甲第２号証の１ないし３を考慮すると、本件出願と同日に出願された特許第２８５２６５０号（甲第１号証）の発明と同一であるから、その特許は、特許法第３９条第２項の規定に違反してされたものであり、取り消されるべきである。
　　　　　　　　　　　　　　　　　記
　甲第１号証：特許第２８５２６５０号公報
　甲第２号証の１：特開昭５９−１８３６２５号公報
　甲第２号証の２：実願昭５７−１２６５９６号（実開昭５９−３１８４１号）のマイクロフイルム
　甲第２号証の３：実願昭５８−１２７４２９号（実開昭６０−３６０４６号）のマイクロフイルム
　
４．当審の判断
４-1．同日出願の発明
　本件出願と同日に出願された特許第２８５２６５０号（甲第１号証）発明の要旨（以下、「同日出願の発明」という。）は、特許明細書及び図面の記載からみて、その特許請求の範囲に記載されたとおりの、
  「脱穀部（４）一側の機台（３）上の穀粒タンク（１４）底部で前後方向に下部コンベア（１９）を延設させ、下部コンベア（１９）後端部に縦コンベア（２０）下端部を連結させ、縦コンベア（２０）上端部に上部コンベア（２１）基部を連結させると共に、運転席（１７）後側下方の穀粒タンク（１４）前面外側下部に入力軸（３３）を突設させ、穀粒タンク（１４）後側支点回りの水平方向の回動によって係脱自在なワンタッチ連結クラッチ（３６）により本機側のコンベア駆動軸（３５）に前記穀粒タンク（１４）前部の入力軸（３３）を連結させ、また穀粒タンク（１４）前部の水平回動遊端側を本機に連結させる係脱自在なロツク部材（２７）を設けるコンバインにおいて、穀粒タンク（１４）前部の水平回動遊端側下面を摺接させる機台（３）上面に軸受部材（３４）を設け、エンジン（１３ａ）出力を伝達する前記コンベア駆動軸（３５）を軸受部材（３４）に取付け、前記ロック部材（２７）と入力軸（３３）とコンベア駆動軸（３５）とワンタッチ連結クラッチ（３６）を穀粒タンク（１４）前部で互に近接させて配設させたことを特徴とするコンバイン。」
にあると認める。
４-2．対比・判断
　本件発明と同日出願の発明とを比較すると、両者は、脱穀部（４）一側の機台（３）上の穀粒タンク（１４）底部で前後方向に下部コンベア（１９）を延設させ、下部コンベア（１９）後端部に縦コンベア（２０）下端部を連結させ、縦コンベア（２０）上端部に上部コンベア（２１）基部を連結させると共に、運転席（１７）後側下方の穀粒タンク（１４）前面外側下部に入力軸（３３）を突設させ、穀粒タンク（１４）後側支点回りの水平方向の回動によって係脱自在なワンタッチ連結クラッチ（３６）により本機側のコンベア駆動軸（３５）に前記穀粒タンク（１４）前部の入力軸（３３）を連結させ、また穀粒タンク（１４）前部の水平回動遊端側を本機に連結させる係脱自在なロック部材（２７）を設けるコンバインにおいて、穀粒タンク（１４）前部の水平回動遊端側下面を摺接させる機台（３）上面に軸受部材（３４）を設け、エンジン（１３ａ）出力を伝達する前記コンベア駆動軸（３５）を軸受部材（３４）に取付け、前記ロック部材（２７）とコンベア駆動軸（３５）とワンタッチ連結クラッチ（３６）を穀粒タンク（１４）前部に配設させたコンバインで一致しているが、
　ロック部材（２７）とコンベア駆動軸（３５）とワンタッチ連結クラッチ（３６）を、本件発明では、「側面視で穀粒タンク（１４）前部の回動遊端の略同一位置に配設させ、前記ワンタッチ連結クラッチ（３６）取付位置よりも穀粒タンク（１４）の水平回動外側に前記ロック部材（２７）を取付け、下部コンベア（１９）前端部の穀粒タンク（１４）下面を機台（３）に摺動自在に上載させ、機台（３）の穀粒タンク（１４）摺動案内面と穀粒タンク（１４）の間を前記ロック部材（２７）によって連結させ」ているのに対し、同日出願の発明では、「穀粒タンク（１４）前部で互に近接させて配設させ」ている点で構成が相違している。
　上記相違点について検討する。
　甲第２号証の１には、段付支点ピン（39）を回動軸心としてタンク(５)を回動自在に設け、ロックピン(45)とピン孔(45a)から成るロック部材を、タンク(５)の水平回動外側に取付け、スクリューコンベア(13)前端部の穀粒タンク(14)下面を機台(３)に摺動自在に上載させ、機台(３)のタンク(５)摺動案内面とタンク(５)の間を前記ロック部材によって連結させてなるコンバインが、また、甲第２号証の２には、縦軸芯(Ｐ)を回動軸心として穀粒タンク(８)を回動自在に設け、穀粒タンク(８)の穀粒排出用スクリュー(17)と機台側出力軸(18)とを屈伸自在な伝動用ワイヤー(19)によって連結するとともに、穀粒タンク(８)の水平回動外側に固設した筒体(12)と受台(11)とにロックピン(13)を抜き取り自在に構成し、穀粒排出用スクリュー(17)前端部の穀粒タンク(８)下面を受台(11)に摺動自在に上載させ、受台(11)の穀粒タンク(８)摺動案内面と穀粒タンク(８)の間を前記ロックピン(13)によって連結させてなるコンバインが、さらに、甲第２号証の３には、縦軸芯(Ｐ)を回動軸心として脱穀粒タンク(６)を回動自在に設け、脱穀粒タンク(６)のスクリューコンベア(８)と原動側軸(15)とを伝動ベルト(16)によって動力伝達するとともに、前記タンク(６)の水平回動外側に取付けたロックピン(23)をブラケット(22)に抜き取り自在に構成し、スクリューコンベア（８）前端部の脱穀粒タンク(６)下面をブラケット(22)に摺動自在に上載させ、ブラケット(22)と前記タンク(６)の間を前記ロックピン(23)によって連結させてなるコンバインが記載されている。
　しかしながら、甲第２号証の１ないし３記載のものは、本機側のコンベア駆動軸から穀粒タンク前部の入力軸へ、屈伸自在な伝動用ワイヤー(19)あるいは伝動ベルト(16)によって動力伝達するものであり、ワンタッチ連結クラッチにより動力伝達するものではないから、本件発明の上記相違点の構成が甲第２号証の１ないし３によって周知であると認めることはできない。
　そして、本件発明は、上記相違点の構成である「ロック部材（２７）とコンベア駆動軸（３５）とワンタッチ連結クラッチ（３６）を、側面視で穀粒タンク（１４）前部の回動遊端の略同一位置に配設させ、前記ワンタッチ連結クラッチ（３６）取付位置よりも穀粒タンク（１４）の水平回動外側に前記ロック部材（２７）を取付け、下部コンベア（１９）前端部の穀粒タンク（１４）下面を機台（３）に摺動自在に上載させ、機台（３）の穀粒タンク（１４）摺動案内面と穀粒タンク（１４）の間を前記ロック部材（２７）によって連結させた」ことにより、「ロック部材（２７）の穀粒タンク（１４）固定動作によってワンタッチ連結クラッチ（３６）による入力軸（３３）とコンベア駆動軸（３５）の連結を適正に維持でき、コンベア駆動軸（３５）の回転力によってワンタッチ連結クラッチ（３６）が離脱したり係合部の偏心により異音発生または損傷するのを容易に防止できる」という効果を奏するのに対し、同日出願の発明は、「ロック部材（２７）と入力軸（３３）とコンベア駆動軸（３５）とワンタッチ連結クラッチ（３６）を穀粒タンク（１４）前部で互に近接させて配設させたこと」により、「ロック部材（２７）の穀粒タンク（１４）固定動作とワンタッチ連結クラッチ（３６）による入力軸（３３）とコンベア駆動軸（３５）の連結を容易に確認でき、コンベア駆動軸（３５）の回転力によってワンタッチ連結クラッチ（３６）が離脱したり係合部の偏心により異音発生または損傷するのを容易に防止できるも」という効果を奏するものであり、その作用効果においても相違する。
　したがって、本件発明と同日出願の発明とが同一とは認められない。
　
５．むすび
　以上のとおりであるから、特許異議申立ての理由及び証拠によっては本件発明についての特許を取り消すことはできない。
　また、他に本件発明についての特許を取り消すべき理由を発見しない。
　よって、結論のとおり決定する。
【異議決定日】
平成１２年９月１８日（２０００．９．１８）